(57)【要約】【課題】収納物を掴み易く、取出しが簡単に行え、収納物を前部プレートに安定的に保持させ易く、収納が簡単に行え、収納物の出し入れがスムーズに行え、取扱い易く、使い勝手に優れ、構成簡素で、量産に適し、製造し易く、組立て容易で、低廉で、耐久性に優れ、経済的な収納ケースを提供する。【解決手段】ケース基盤Ａとケース蓋体Ｂと保持プレートＣとを備え、保持プレートＣは、前部プレート２０と後部プレート２１とを備え、前部プレート２０には収納物の保持手段を設け、ケース蓋体Ｂに連繋して、前部プレート２０の他端がわがケース基盤Ａから離れるように上方に揺動し、後部プレート２１が前部プレート２０に対して屈曲状となるよう下方に揺動し、前部プレート２０で保持している収納物の他端がわ下面から後部プレート２１が離れるように構成する。【選択図】    図１
2004262465.tif 000002
【特許請求の範囲】
【請求項１】
ディスク状記録担体等の比較的薄く且つセンター孔を有する収納物用の収納ケースであって、上部が開放されているケース基盤と、このケース基盤の一端がわに適宜枢支手段を介して上下方向に於いて揺動自在となるよう装着されると共に、その揺動動作によってケース基盤の上部開放部分を施蓋可能となるよう形成されるケース蓋体と、このケース蓋体の一端がわに適宜枢支手段を介して上下方向に於いて揺動自在となるよう装着されると共に、ケース基盤及びケース蓋体からなるケース本体内に収納可能となる保持プレートとを備え、前記保持プレートは、ケース蓋体の一端がわに適宜枢支手段を介して上下方向に於いて揺動自在となるよう装着される前部プレートと、この前部プレートにヒンジ部を介して折曲げ自在に連設される後部プレートとを備え、前部プレートには、収納物を取外し可能に保持する保持手段を設け、ケース基盤に対するケース蓋体の開蓋揺動動作に連繋して、保持プレート全体が一端がわに僅かに移動した後、前部プレートの他端がわがケース基盤から離れるように上方に揺動すると共に、後部プレートが前部プレートに対して屈曲状となるよう下方に揺動し、前部プレートに保持されている収納物の他端がわ下面から後部プレートが離れるように構成したことを特徴とするディスク状記録担体用収納ケース。
【請求項２】
前記保持手段は、前部プレートの一端がわに設けられ、収納物の一端がわを保持する前がわ保持手段と、保持プレートの略中央部分に設けられ、収納物のセンター孔部分を保持するセンター孔保持手段とを備え、前がわ保持手段は、収納物の一端がわ部分を前部プレートの表面に沿うような方向から差込み自在に保持できるよう構成し、センター孔保持手段は、センター孔内に係脱自在に収まる中央突部部分を適宜弾性片を介して前部プレートに連設して構成し、前がわ保持手段で保持された収納物のセンター孔内に、中央突部が下方から係脱自在に収まるように構成したことを特徴とする請求項１記載のディスク状記録担体用収納ケース。
【請求項３】
保持プレートの後部プレートの左右側縁にガイド突起を夫々突設し、このガイド突起が移動可能となるガイド溝をケース基盤の左右側片に設けたことを特徴とする請求項１または請求項２記載のディスク状記録担体用収納ケース。
【請求項４】
保持プレートの前部プレートと後部プレートの表面に収納物の外周縁に合致する段部を形成し、前部プレートの一端がわ左右に、収納物の表面に当接する押え片を突設したことを特徴とする請求項１または請求項２または請求項３記載のディスク状記録担体用収納ケース。
【発明の詳細な説明】
【０００１】
【発明の属する技術分野】
本発明は、主に、ＣＤや、ＣＤ−ＲＯＭや、ＤＶＤや、その他、ディスク状の記録担体等のように比較的薄く形成され且つセンター孔を有するような適宜収納物用の収納ケースに係り、これらの収納物を確実に収納できるようにすると共に、より安定的に保持できるようにし、収納物の出入れがより簡単に且つスムーズに行え、その取扱いが誰でも容易に行えるように工夫したディスク状記録担体用収納ケースに関するものである。
【０００２】
【従来の技術】
従来、ディスク状の記録担体等のように比較的薄く形成され且つセンター孔を有するような収納物用の収納ケースとしては、例えば、特許文献１の従来例に示されているように、記録担体のセンター孔部分を支持するキャッチ部が中央に配されている略浅い矩形箱状の透明な合成樹脂製箱本体を形成し、この箱本体と略同程度の大きさの透明な合成樹脂製蓋体を、箱本体に揺動自在に装着した収納ケース等が一般的に広く利用されている。
更に、本願出願人による特許文献２のディスク状記録担体用収納ケースがある。この収納ケースは、ディスク状記録担体等の比較的薄い収納物を収納可能な収納ケースに於いて、ケース基盤と、このケース基盤の一端がわに適宜枢支手段を介して揺動自在に装着される第一扉蓋と、ケース基盤の他端がわに適宜枢支手段を介して揺動自在に装着される第二扉蓋と、収納物を保持可能な保持プレートとからなり、保持プレートは、その他端がわ部分がケース基盤と第二扉蓋の間に収容されるプレート基盤と、第一扉蓋の裏面がわに装着される取付部と、この取付部とプレート基盤とをヒンジ部を介して連設する連結片とを備え、プレート基盤には収納物を保持可能な適宜保持手段を設け、枢支手段による第一扉蓋の揺動動作に連繋して、保持プレートがケース基盤と第二扉蓋との間から引き出される方向に移動するよう形成すると共に、このときにヒンジ部を介して連結片がプレート基盤に対して揺動し、プレート基盤の一端がわが第一扉蓋裏面に対して浮き上がるように構成したものである。
【０００３】
【特許文献１】
特開２０００−４３９７０（図１１）
【特許文献２】
特開２００２−３２１７８５（図１、図３）
【０００４】
【発明が解決しようとする課題】
ところが、前者のような収納ケースにあっては、蓋体を開いた後に、キャッチ部から記録担体を取外さなければならず、その取出しや、収納が面倒となる等の難点があった。
一方、後者のような収納ケースにより、収納物を手指によって取出し易くなると共に、収納物を収納し易い収納ケースが提供できるようになったが、本願出願人は、これに満足することなく、更なる収納ケース自体の簡素化、低コスト化、収納物の安定保持、取扱い易さ等について研究、開発を継続していた。
【０００５】
【課題を解決するための手段】
そこで、本発明は、前述の如き課題を達成して、収納物の出入れがより容易に、確実に、且つスムーズに行え、収納物を安定的に保持でき、取扱いが容易で、使い勝手に優れ、また、収納物が見え易くなるように展示することも可能となり、しかも、構成が簡素で、製造し易く、組立て容易で、量産に適し、耐久性に優れ、経済的なディスク状記録担体用収納ケースを提供すべく創出されたものである。
しかして、請求項１記載の収納ケースにあっては、ディスク状記録担体Ｄ等の比較的薄く且つセンター孔を有する収納物用の収納ケースであって、上部が開放されているケース基盤Ａと、このケース基盤Ａの一端がわに適宜枢支手段を介して上下方向に於いて揺動自在となるよう装着されると共に、その揺動動作によってケース基盤Ａの上部開放部分を施蓋可能となるよう形成されるケース蓋体Ｂと、このケース蓋体Ｂの一端がわに適宜枢支手段を介して上下方向に於いて揺動自在となるよう装着されると共に、ケース基盤Ａ及びケース蓋体Ｂからなるケース本体内に収納可能となる保持プレートＣとを備え、前記保持プレートＣは、ケース蓋体Ｂの一端がわに適宜枢支手段を介して上下方向に於いて揺動自在となるよう装着される前部プレート２０と、この前部プレート２０にヒンジ部２２を介して折曲げ自在に連設される後部プレート２１とを備え、前部プレート２０には、収納物を取外し可能に保持する保持手段を設け、ケース基盤Ａに対するケース蓋体Ｂの開蓋揺動動作に連繋して、保持プレートＣ全体が一端がわに僅かに移動した後、前部プレート２０の他端がわがケース基盤Ａから離れるように上方に揺動すると共に、後部プレート２１が前部プレート２０に対して屈曲状となるよう下方に揺動し、前部プレート２０に保持されている収納物の他端がわ下面から後部プレート２１が離れるように構成する手段を採用した。
【０００６】
また、請求項２記載の収納ケースにあっては、前記保持手段は、前部プレート２０の一端がわに設けられ、収納物の一端がわを保持する前がわ保持手段と、保持プレートＣの略中央部分に設けられ、収納物のセンター孔部分を保持するセンター孔保持手段とを備え、前がわ保持手段は、収納物の一端がわ部分を前部プレート２０の表面に沿うような方向から差込み自在に保持できるよう構成し、センター孔保持手段は、センター孔内に係脱自在に収まる中央突部３１部分を適宜弾性片３２を介して前部プレート２０に連設して構成し、前がわ保持手段で保持された収納物のセンター孔内に、中央突部３１が下方から係脱自在に収まるように構成する手段を採用した。
【０００７】
更に、請求項３記載の収納ケースにあっては、保持プレートＣの後部プレート２１の左右側縁にガイド突起２８を夫々突設し、このガイド突起２８が移動可能となるガイド溝５をケース基盤Ａの左右側片４に設ける手段を採用した。
【０００８】
そして、請求項４記載の収納ケースにあっては、保持プレートＣの前部プレート２０と後部プレート２１の表面に収納物の外周縁に合致する段部２４、２７を形成し、前部プレート２０の一端がわ左右に、収納物の表面に当接する押え片２５を突設する手段を採用した。
【０００９】
【発明の実施の形態】
以下、本発明を図示例に基づいて説明する。
本発明は、主に、ＣＤ、ＣＤ−ＲＯＭ、ＤＶＤ等の記録担体Ｄや、その他、ディスク状の記録担体Ｄ等のように比較的薄く形成され且つセンター孔を有するような適宜収納物を、確実に収納できると共に、安定的に収納でき、しかも、収納物の出入れがより簡単に且つスムーズに行えるように構成したディスク状記録担体用収納ケースである。
尚、本発明の収納ケースに収納される適宜収納物には、ディスク状でないものや、記録担体Ｄでないものも含まれる。
【００１０】
そして、本発明の収納ケースは、例えば、上部が開放されている略浅底容器状に形成される透明な（或いは、半透明な、或いは、一部が透明或いは半透明な、或いは、不透明でも良い）適宜合成樹脂製のケース基盤Ａと、このケース基盤Ａの一端がわに適宜枢支手段を介して揺動自在に装着されると共に、その上下方向に於ける揺動動作によってケース基盤Ａの開放部分を施蓋可能となるよう形成される透明な（或いは、半透明な、或いは、一部が透明或いは半透明な、或いは、不透明でも良い）適宜合成樹脂製のケース蓋体Ｂとでケース本体を構成し、更に、このケース本体内に収納可能となると共に、収納物を保持可能となるような適宜合成樹脂製の保持プレートＣを、ケース蓋体Ｂの一端がわに適宜枢支手段を介して上下方向に於いて揺動自在となるように装着して構成したものである。
尚、ケース基盤Ａとケース蓋体Ｂの枢支手段に於ける中心線と、ケース蓋体Ｂと保持プレートＣの枢支手段に於ける中心線とは、相互に略平行で且つケース基盤Ａ表面に対しても略平行であり、しかも、ケース本体の閉蓋状態にあっては、ケース蓋体Ｂと保持プレートＣの枢支手段に於ける中心線が、ケース基盤Ａとケース蓋体Ｂの枢支手段に於ける中心線より他端寄りに配されている。すなわち、閉蓋状態にあるケース本体を開蓋状態にする（例えば、１８０度揺動させる）と、ケース蓋体Ｂと保持プレートＣの枢支手段に於ける中心線が、ケース基盤Ａとケース蓋体Ｂの枢支手段に於ける中心線を中心とする側面略半円弧状の軌跡に沿って移動するよう形成してある。
【００１１】
更に、前記保持プレートＣは、ケース蓋体Ｂの一端がわに枢支手段を介して上下方向に於いて揺動自在となるように装着される前部プレート２０と、この前部プレート２０の他端縁部分にヒンジ部２２を介して折曲げ自在に連設される後部プレート２１とを備え、しかも、前部プレート２０には、収納物を保持できる保持手段が設けられている。
すなわち、保持プレートＣは、ケース本体が閉蓋状態にある時は、収納物を保持したままケース本体内に収納され（図２参照）、この閉蓋状態からケース蓋体Ｂをケース基盤Ａに対して揺動させると、ケース蓋体Ｂの揺動動作に連繋して、保持プレートＣの一端がわが側面略半円弧状の軌跡に沿って移動する途中で、保持プレートＣ全体が一端がわに僅かに移動した後、前部プレート２０の裏面が、後述するケース基盤Ａの前片２上部に当接し、保持プレートＣの一端がわが前記前片２上部より低くなると、前片２上部が支点となって、前部プレート２０の他端がわがケース基盤Ａから離れるように揺動して、前部プレート２０及び収納物が斜状態で支持されるように構成されている。このとき、後部プレート２１は、前部プレート２０に対して屈曲状に揺動して（後部プレート２１の一端がわがケース基盤Ａから離れるように上方に向って揺動して）、前部プレート２０に保持されている収納物の他端がわから後部プレート２１が離れるように構成されている（図３参照）。しかして、収納物の他端がわ部分が斜上方に突出するようにして、これを手指によって掴み易くし、収納物の取出しや、保持が容易に行えるように構成してある。また、ケース本体の開蓋時に、収納物の表面が斜上方を向くようになることにより、展示等にも最適となるよう構成してある。
【００１２】
前記保持手段は、前部プレート２０の一端がわに設けられ、収納物の一端がわを保持する前がわ保持手段と、保持プレートＣの略中央部分に設けられ、収納物のセンター孔部分を保持するセンター孔保持手段とを備えたものである。
そして、前がわ保持手段は、収納物の一端がわ部分を前部プレート２０の表面に沿うような方向から差込み自在に保持できるよう構成されたものである。
また、センター孔保持手段は、センター孔内に係脱自在に収まる中央突部３１部分を適宜弾性片３２を介して前部プレート２０に連設して構成され、前がわ保持手段で保持された収納物のセンター孔内に、中央突部３１が下方から係脱自在に収まるように構成されたものである。
【００１３】
前記ケース基盤Ａは、例えば、記録担体Ｄが収まるような寸法の略矩形板状の底板１と、この底板１の一端縁に立設される略細帯板状の前片２と、底板１の他端縁に立設される略細帯板状の後片３と、底板１の左右側縁に夫々立設される略細長帯板状の左右側片４とで、上部が開放されている略浅底容器状に一体的に構成されている。尚、左右側片４は、その中央部分や上縁部分を適宜切欠するように形成しても良い。
【００１４】
更に、左右側片４の一端がわ部分には、ケース蓋体Ｂを揺動自在に装着するための枢支手段となる小円孔状の軸孔６が夫々穿設され、左右側片４の他端がわ内側面部分には、後述する保持プレートＣのガイド突起２８をスムーズに案内できるようにしたガイド溝５が夫々設けられている。
すなわち、ガイド溝５は、保持プレートＣのガイド突起２８が上方に浮き上がらないようにして、保持プレートＣの後部プレート２１が前部プレート２０に対して確実に屈曲状に揺動するように設けられたものである。
尚、ガイド溝５の一端部を閉鎖するように形成したり、一方、ガイド溝５の他端部に、上方開放部を設けて、ガイド突起２８がガイド溝５上方に移動できるように形成しても良い。すなわち、ガイド突起２８をガイド溝５から一旦逸脱させるような場合や、収納ケースの組立て時や、保持プレートＣの下方に収納物に関連するような解説書や、適宜カード等を出入れするとき等に、簡単にガイド突起２８をガイド溝５内に収容したり、ガイド溝５内から逸脱させて、保持プレートＣの他端がわを容易に上方に揺動させられるように形成してあっても良い。
【００１５】
また、左右側片４の他端寄り部分には、ケース蓋体Ｂの係止突起が係脱自在に係止される略小円状の係止孔が夫々穿設されており、ケース蓋体Ｂの係止突起が係止孔に係止されているときには、ケース蓋体Ｂによるケース基盤Ａの施蓋状態をある程度維持できるように構成されている（図示せず）。
【００１６】
前記ケース蓋体Ｂは、例えば、ケース基盤Ａの開放部分を覆えるような寸法の略矩形板状の天板１０と、この天板１０の左右側縁に夫々垂設される略細長帯板状の左右側片１１とで、略浅溝形状に一体的に構成されている。そして、左右側片１１の一端部分には、ケース蓋体Ｂをケース基盤Ａに揺動自在に装着するための枢支手段となる略短小円柱状の軸突起１２が夫々突設されており、この軸突起１２が前記ケース基盤Ａの軸孔６に差込み装着できるように構成されている。尚、ケース基盤Ａとケース蓋体Ｂの枢支手段は、略短小円柱状の軸突起をケース基盤Ａに設け、小円孔状の軸孔をケース蓋体Ｂに設けるようにしても良いし、その他、適宜手段を採用できるものである。
【００１７】
更に、左右側片１１の一端寄り部分には、保持プレートＣをケース蓋体Ｂに揺動自在に装着するための枢支手段となると共に、後述する保持プレートＣに突設した軸突起２６が係止される小円孔状の軸孔１３が夫々穿設されている。
加えて、左右側片１１の他端寄り部分には、前記ケース基盤Ａの係止孔に係脱自在に係止される略小円状の係止突起が夫々突設されている。また、左右側片１１の内側面には、略半円板状の係止突片が複数突設されており、この係止突片を利用して、記録担体Ｄに関連する解説書や歌詞カード類等を天板１０裏面に保持できるように形成してある。
【００１８】
前記保持プレートＣは、例えば、記録担体Ｄ等の収納物の直径に対し、略半分以下程度の大きさ（幅）となる略矩形板状の前部プレート２０と、この前部プレート２０の他端縁の左右側部にヒンジ部２２を介して揺動自在に連設される略矩形板状の後部プレート２１とを適宜合成樹脂材によって一体的に構成され、前記ヒンジ部２２は、前部プレート２０と後部プレート２１の表面が面一な状態から、後部プレート２１が前部プレート２０に対して重力等によって下向きにのみ揺動するように構成されている。
【００１９】
それから、前部プレート２０の一端がわ表面と後部プレート２１の他端がわ表面には、収納物の外周縁部分に略合致して、収納物を安定的に収納しておけるような略円弧状の段部２４、２７が設けられ、前部プレート２０の中央部分及び後部プレート２１の一端がわ中央部分には、適宜切欠部２３が切設され、前部プレート２０の段部２４の左右には、収納物の表面に当接するような略矩形状の押え片２５が突設されている。しかも、後部プレート２１の左右には適宜肉抜孔２９が設けてあり、軽量化等が図れるようにしてある。
【００２０】
また、前部プレート２０の一端の左右側縁には、保持プレートＣをケース蓋体Ｂに揺動自在に装着するための枢支手段となる略短小円柱状の軸突起２６が突設され、この軸突起２６がケース蓋体Ｂの軸孔１３に軸支されるように形成されている。尚、保持プレートＣとケース蓋体Ｂの枢支手段は、略短小円柱状の軸突起をケース蓋体Ｂに設け、小円孔状の軸孔を保持プレートＣに設けるようにしても良いし、その他、適宜手段を採用できるものである。
【００２１】
更に、後部プレート２１の他端の左右側縁にはケース基盤Ａのガイド溝５内を移動するガイド突起２８が突設されている（図１参照）。
ところで、保持プレートＣの表面には、収納物を保護するような不織布等の適宜保護布等を貼着しておいても良い（図示せず）。しかも、前部プレート２０及び後部プレート２１の段部２４、２７は、前部プレート２０や後部プレート２１の表面がわに突出するような小突起であっても良い。
【００２２】
また、前部プレート２０の表面に於いて、押え片２５の両脇に収納物の裏面に当接する小突起２５ａを設けたり、後部プレート２１の表面に於いて、段部２７近傍にに収納物の裏面に当接する略細長円弧状の突起を設けたりして、収納物との接触部分をできる限り少なくできるように形成しても良い（図４参照）。すなわち、収納物が保持プレートＣ表面より僅かに浮いて、収納物の裏面が擦れたりせず、保護できるように形成してあっても良い。
尚、押え片２５の両脇に設けられて収納物の裏面に当接する小突起２５ａは、その上面部分が一端がわ（段部２４がわ）に行くに従って漸次高くなるような傾斜状態に形成されており、収納物の差込みによって、小突起２５ａと押え片２５とによる収納物の挟圧状態が徐々に強くなるように形成し、収納物をより確実に保持できるように形成してある。しかも、小突起２５ａと押え片２５との間の隙間空間へ収納物を差込み易くなるように形成してある。
【００２３】
ところで、前記前がわ保持手段は、例えば、前記押え片２５と、前部プレート２０の一部表面とで、収納物の一端がわ部分を上下から挟圧保持できるように構成されており、前部プレート２０の表面に沿うような方向から収納物を強制的に差込むことによって保持でき、前部プレート２０の表面に沿うような方向に収納物を引くことによって取外せるように構成されている。
また、前記センター孔保持手段は、例えば、センター孔内に係脱自在に収まる中央突部３１部分を中央段部３０に設け、この中央段部３０を一対の適宜弾性片３２を介して前部プレート２０に連設して構成されている。
すなわち、一対の弾性片３２の弾性力を利用して中央突部３１が上下に移動し、前がわ保持手段で保持された状態の収納物のセンター孔内に、中央突部３１が下方から収まることで、不意の外力等によって前がわ保持手段による収納物の保持状態が解除されないように構成してある。
【００２４】
尚、収納ケースの具体的構成、形状、寸法、材質、ケース本体の具体的構成、形状、寸法、材質、ケース基盤Ａの具体的構成、形状、寸法、材質、底板１の具体的構成、形状、寸法、材質、前片２の具体的構成、形状、寸法、材質、配設位置、後片３の具体的構成、形状、寸法、材質、配設位置、側片４の具体的構成、形状、寸法、材質、配設位置、ガイド溝５の具体的構成、形状、寸法、配設位置、軸孔６の具体的構成、形状、寸法、配設位置、ケース蓋体Ｂの具体的構成、形状、寸法、材質、天板１０の具体的構成、形状、寸法、材質、側片１１の具体的構成、形状、寸法、配設位置、軸突起１２の具体的構成、形状、寸法、配設位置、軸孔１３の具体的構成、形状、寸法、配設位置、保持プレートＣの具体的構成、形状、寸法、材質、前部プレート２０の具体的構成、形状、寸法、材質、後部プレート２１の具体的構成、形状、寸法、材質、ヒンジ部２２の具体的構成、形状、寸法、材質、切欠部２３の具体的構成、形状、寸法、段部２４の具体的構成、形状、寸法、配設位置、数、押え片２５の具体的構成、形状、寸法、数、配設位置、小突起２５ａの具体的構成、形状、寸法、数、配設位置、軸突起２６の具体的構成、形状、寸法、配設位置、段部２７の具体的構成、形状、寸法、配設位置、数、ガイド突起２８の具体的構成、形状、寸法、配設位置、数、肉抜孔２９の具体的構成、形状、寸法、配設位置、中央段部３０の具体的構成、形状、寸法、配設位置、中央突部３１の具体的構成の具体的構成、形状、寸法、配設位置、弾性片３２の具体的構成、形状、寸法、材質、数、配設位置、枢支手段の具体的構成、保持手段の具体的構成等は、図示例のもの等に限定されることなく適宜自由に設定、変更できるものである。
【００２５】
本発明の収納ケースは、前述の如く構成されており、次に、その使用例について説明すると、先ず、収納ケース内の収納物を取出す場合は、ケース蓋体Ｂの他端がわを上方に移動させるようにしてケース蓋体Ｂを揺動させる。すると、保持プレートＣの一端がわが若干上方に持上げられながら、保持プレートＣ全体が一端がわに僅かに移動する。このとき、保持プレートＣのガイド突起２８は、ケース基盤Ａのガイド溝５内を一端がわに僅かに移動する。
それから、ケース蓋体Ｂを更に揺動すると、前部プレート２０裏面がケース基盤Ａの前片２上端部に当接し、この当接部分が支点となって、他端がわがケース基盤Ａから離れるように前部プレート２０及び保持されている収納物が揺動する。このとき、後部プレート２１は、ヒンジ部２２を介して前部プレート２０に対して屈曲状に揺動し、前部プレート２０で保持されている収納物は、その他端がわが後部プレート２１から離れるような斜上方に突出した状態となり（図３参照）、収納物が容易に取出せるようになる。また、収納物を取出す場合は、中央突部３１を上方から押して、中央突部３１とセンター孔との係止状態を解除してから、収納物を前部プレート２０表面に沿って引くようにして取外す。
【００２６】
一方、収納物を収納ケース内に収納する場合は、収納物を前部プレート２０表面に沿うように移動させて、収納物の周縁部分が押え片２５と前部プレート２０表面（小突起２５ａ）との間に収まると共に、収納物の外周縁が段部２４に当接するように（当接しなくても良い）差込む。このとき、中央突部３１は、弾性片３２の弾性復元力によってセンター孔内に収まって係止され、収納物は、前部プレート２０に安定的に保持された状態となる。
それから、ケース蓋体Ｂでケース基盤Ａの開放孔部分を施蓋するようにケース蓋体Ｂを揺動させる。すると、前部プレート２０の他端がわがケース基盤Ａの底板１に接近するように前部プレート２０及び収納物が揺動し、収納物の外周が段部２７に当接するように（当接しなくても良い）後部プレート２１の表面に載置されるようになる。このとき、後部プレート２１は、一端がわがケース基盤Ａ表面に接近するように揺動して、前部プレート２０と面一状態となる。
次に、ケース蓋体Ｂを更に揺動すると、保持プレートＣ全体が他端がわに移動する。このとき、保持プレートＣのガイド突起２８は、ケース基盤Ａのガイド溝５内を他端がわに移動する。そして、ケース蓋体Ｂを揺動せしめて、ケース基盤Ａの開放部分を施蓋すると、保持プレートＣの一端がわが若干下方に下げられて、保持プレートＣがケース本体内に安定的に収まるようになる。
【００２７】
【発明の効果】
従って、請求項１記載の収納ケースは、ディスク状記録担体Ｄ等の比較的薄く且つセンター孔を有する収納物用の収納ケースであって、上部が開放されているケース基盤Ａと、このケース基盤Ａの一端がわに適宜枢支手段を介して上下方向に於いて揺動自在となるよう装着されると共に、その揺動動作によってケース基盤Ａの上部開放部分を施蓋可能となるよう形成されるケース蓋体Ｂと、このケース蓋体Ｂの一端がわに適宜枢支手段を介して上下方向に於いて揺動自在となるよう装着されると共に、ケース基盤Ａ及びケース蓋体Ｂからなるケース本体内に収納可能となる保持プレートＣとを備え、前記保持プレートＣは、ケース蓋体Ｂの一端がわに適宜枢支手段を介して上下方向に於いて揺動自在となるよう装着される前部プレート２０と、この前部プレート２０にヒンジ部２２を介して折曲げ自在に連設される後部プレート２１とを備え、前部プレート２０には、収納物を取外し可能に保持する保持手段を設け、ケース基盤Ａに対するケース蓋体Ｂの開蓋揺動動作に連繋して、保持プレートＣ全体が一端がわに僅かに移動した後、前部プレート２０の他端がわがケース基盤Ａから離れるように上方に揺動すると共に、後部プレート２１が前部プレート２０に対して屈曲状となるよう下方に揺動し、前部プレート２０に保持されている収納物の他端がわ下面から後部プレート２１が離れるように構成したので、ケース基盤Ａから離れるようにケース蓋体Ｂを揺動せしめるだけで、保持プレートＣ全体が一端がわに移動してから、前部プレート２０が収納物と共に起き上がるように揺動するようになる。このとき、後部プレート２１は、前部プレート２０に対して屈曲状に揺動するため、前部プレート２０に保持されている収納物から離れるようになり、収納物を掴み易くなり、その取出しが簡単に行えるようになる。
【００２８】
一方、収納物を収納ケースに収納するときは、収納物を前部プレート２０に保持させてから、ケース基盤Ａに接近するようにケース蓋体Ｂを揺動せしめるだけでよく、収納物を前部プレート２０に保持させ易いと共に、その収納が簡単に行えるようになる。
【００２９】
すなわち、ケース蓋体Ｂの揺動操作だけで収納物の出し入れがスムーズに行えるようになり、取扱い易く、使い勝手の優れた収納ケースとなる。
加えて、収納物が見え易くなるように展示することが可能となり、しかも、構成簡素で、量産に適し、製造し易く、組立て容易で、低廉で、耐久性に優れ、経済的な収納ケースとなる。
【００３０】
また、請求項２記載の収納ケースは、前記保持手段は、前部プレート２０の一端がわに設けられ、収納物の一端がわを保持する前がわ保持手段と、保持プレートＣの略中央部分に設けられ、収納物のセンター孔部分を保持するセンター孔保持手段とを備え、前がわ保持手段は、収納物の一端がわ部分を前部プレート２０の表面に沿うような方向から差込み自在に保持できるよう構成し、センター孔保持手段は、センター孔内に係脱自在に収まる中央突部３１部分を適宜弾性片３２を介して前部プレート２０に連設して構成し、前がわ保持手段で保持された収納物のセンター孔内に、中央突部３１が下方から係脱自在に収まるように構成したので、前がわ保持手段で保持された状態の収納物のセンター孔内に、中央突部３１が下方から収まることで、不意の外力等によって前がわ保持手段による収納物の保持状態が解除されないようになり、収納物をより確実に且つより安定的に保持できるようになる。しかも、保持状態とすることや、保持状態の解除等が誰でも簡単に行えるようになり、使い勝手の優れた収納ケースとなる。
特に、収納ケースを開蓋状態としたときに、収納物が前がわ保持手段とセンター孔保持手段とによって、前部プレート２０に安定的に保持されるようになり、収納物が簡単に逸脱して損傷するような虞れのないものとなる。
【００３１】
更に、請求項３記載の収納ケースは、保持プレートＣの後部プレート２１の左右側縁にガイド突起２８を夫々突設し、このガイド突起２８が移動可能となるガイド溝５をケース基盤Ａの左右側片４に設けたので、後部プレート２１の他端部分を確実に案内できるようになり、ケース蓋体Ｂの揺動操作による前部プレート２０に対する後部プレート２１の屈曲状の揺動動作等が確実に行えるようになる。特に、後部プレート２１の他端部分が上下方向等に勝手に移動するようなことがなくなり、保持プレートＣの損傷等も防止できるものとなる。
【００３２】
そして、請求項４記載の収納ケースは、保持プレートＣの前部プレート２０と後部プレート２１の表面に収納物の外周縁に合致する段部２４、２７を形成し、前部プレート２０の一端がわ左右に、収納物の表面に当接する押え片２５を突設したので、保持プレートＣでの収納物の保持状態が安定的となると共に、収納物を保持プレートＣに保持させたり、収納物を保持プレートＣから取外したりする操作が、収納物を損傷することなく誰でも容易に行えるようになる。
【図面の簡単な説明】
【図１】本発明の収納ケースを例示する分解斜視図である。
【図２】本発明の収納ケースを例示する縦断側面図である。
【図３】本発明の収納ケースを例示する一部省略縦断側面図である。
【図４】本発明の収納ケースを例示する一部切欠平面図である。
【符号の説明】
Ａ      ケース基盤
１      底板                          ２      前片
３      後片                          ４      側片
５      ガイド溝                      ６      軸孔
Ｂ      ケース蓋体
１０    天板                          １１    側片
１２    軸突起                        １３    軸孔
Ｃ      保持プレート
２０    前部プレート                  ２１    後部プレート
２２    ヒンジ部                      ２３    切欠部
２４    段部                          ２５    押え片
２５ａ  小突起                        ２６    軸突起
２７    段部                          ２８    ガイド突起
２９    肉抜孔
３０    中央段部                      ３１    中央突部
３２    弾性片
Ｄ      記録担体
【図１】
2004262465.tif 000003
【図２】
2004262465.tif 000004
【図３】
2004262465.tif 000005
【図４】
2004262465.tif 000006